(57)【要約】【課題】  扱いやすく被切断対象を切りやすい携帯用小型ハサミを提供する。【解決手段】  全体略方形状のケース内に出没可能に内装されたハサミ本体を備えた携帯用小型ハサミであって、上記ケースは、一方ケース部と、上記一方ケース部に対して軸部を介して回動する他方ケース部とを備え、上記一方ケース部及び他方ケース部は、夫々、上記ハサミ本体を構成する一対のハサミ構成体に係合し、上記ハサミ本体を上記ケースから突出させた場合には、上記一方ケース部と上記他方ケース部とによりハサミ本体の一対のハサミ構成体を操作してハサミとして使用する。【選択図】  図２
0003176865.tif 000002
【実用新案登録請求の範囲】
【請求項１】
全体略方形状のケース内に出没可能に内装されたハサミ本体を備えた携帯用小型ハサミであって、
上記ケースは、一方ケース部と、上記一方ケース部に対して軸部を介して回動する他方ケース部とを備え、上記一方ケース部及び他方ケース部は、夫々、上記ハサミ本体を構成する一対のハサミ構成体に係合し、
上記ハサミ本体を上記ケースから突出させた場合には、上記一方ケース部と上記他方ケース部とによりハサミ本体の一対のハサミ構成体を操作してハサミとして使用することを特徴とする携帯用小型ハサミ。
【請求項２】
上記ハサミ本体は、軸部を介して互いに回動しうる一対のハサミ構成体により形成され、上記軸部の先端部側に夫々設けられた刃部と、上記軸部の反刃部側に夫々設けられた一対の係止部とを有し、
上記一方ケース部の内方側部及び上記他方ケース部の内方側部には、上記一対の形止部が、夫々、一方ケース部の内方側部及び上記副他方ケース部の内方側部に係合するスライド溝部が形成されていることを特徴とする請求項１記載の携帯用小型ハサミ。
【請求項３】
上記一方の係止部にはスライド操作部が設けられる一方、上記一方ケースの一端面部には、上記ハサミ本体が出没しうる開口部が形成されると共に、上記一方ケースの上記一端面部に隣接する側方端面部には、上記スライド操作部が配置される長穴開口部が形成され、
ハサミとしての使用時には、上記スライド操作部により一方の係止部を溝部内においてスライドさせることにより上記ハサミ本体を上記開口部から突出させると共に、収納時には上記スライド操作部により上記一対の係止部を溝部内においてスライドさせることによりハサミ本体を収納させることを特徴とする請求項２記載の携帯用小型ハサミ。
【請求項４】
上記一方ケース部と上記他方ケース部との間には、他方ケース部を上記軸部を中心として離間方向に回動するように付勢する付勢部材が設けられていることを特徴とする請求項３記載の携帯用小型ハサミ。
【請求項５】
上記ケースは全体略薄型直方体に形成され、上記一方ケース部は長さ方向端部には上記開口部を形成する切欠き部が設けられると共に一方の幅方向端部には、上記切欠き部に連続して開口し、他方ケース部が出没する開口端部が形成されていることを特徴とする請求項１又は３のいずれか１項に記載の携帯用小型ハサミ。
【考案の詳細な説明】
【技術分野】
【０００１】
本考案は、携帯用小型ハサミの改良に関する。
【背景技術】
【０００２】
従来より、携帯できる小型のハサミが出回っている。例えば、図４に示すように、このような携帯用小型ハサミ５０は、平面略長楕円形状のケース５１と、ケース５１内に出没可能な刃部５２とを備え、スライダー部５３によりスライド操作することにより、刃部５２を長さ方向端部に開設された孔部から突出させ、一対の刃体５４、５４の背部５５、５５に指を当てて押し切るように構成されている（特許文献１参照）。
【０００３】
しかしながら、このような従来の携帯用小型ハサミ５０にあっては、一対の刃体５４、５４が大きく拡開するようには構成されていないことから、指で背部５５、５５を押して切るようにした場合であっても、非常に切りにくい、という不具合があった。
【特許文献１】実開昭６４−５５８７５号公報
【考案の開示】
【考案が解決しようとする課題】
【０００４】
本考案はこのような従来からの不具合を解決するためのものであって、その課題は、扱いやすく被切断対象を切りやすい携帯用小型ハサミを提供することにある。
【課題を解決するための手段】
【０００５】
上記課題達成のため、請求項１記載の考案にあっては、全体略方形状のケース内に出没可能に内装されたハサミ本体を備えた携帯用小型ハサミであって、上記ケースは、一方ケース部と、上記一方ケース部に対して軸部を介して回動する他方ケース部とを備え、上記一方ケース部及び他方ケース部は、夫々、上記ハサミ本体を構成する一対のハサミ構成体に係合し、上記ハサミ本体を上記ケースから突出させた場合には、上記一方ケース部と上記他方ケース部とによりハサミ本体の一対のハサミ構成体を操作してハサミとして使用することを特徴とする。
【０００６】
従って、請求項１記載の考案にあっては、上記一方ケース部及び他方ケース部を指で把持することによりハサミ本体を操作して被切断対象を切断する。  
【０００７】
請求項２記載の考案にあっては、上記ハサミ本体は、軸部を介して互いに回動しうる一対のハサミ構成体により形成され、上記軸部の先端部側に夫々設けられた刃部と、上記軸部の反刃部側に夫々設けられた係止部とを有し、上記一方ケース部の内方側部及び上記他方ケース部の内方側部には、夫々、一方ケース部の内方側部及び上記副他方ケース部の内方側部には、係上記一対の形止部がスライド可能に係合するスライド溝部が形成されていることを特徴とする。
【０００８】
従って、請求項２記載の考案にあっては、上記ハサミ構成体の一対の係止部は、夫々、一方ケース部及び他方ケース部の夫々の内方側部に形成されたスライド溝部にスライドした状態でハサミ本体がケース外方へ突出すると共にケース内へ収納される。
【０００９】
請求項３記載の考案にあっては、上記一方の係止部には、スライド操作部が設けられ、上記一方ケースの一端面部には、上記ハサミ本体が出没しうる開口部が形成されると共に、上記一方ケースの上記一端面部に隣接する側方端面部には、上記スライド操作部が配置される長穴開口部が形成され、ハサミとしての使用時には、上記スライド操作部により一方の係止部を溝部内においてスライドさせることにより上記ハサミ本体を上記開口部から突出させると共に、収納時には上記スライド操作部により上記一方の係止部を溝部内においてスライドさせることによりハサミ本体を収納させることを特徴とする。
【００１０】
請求項３記載の考案にあっては、上記スライド操作部を長穴開口部内において前出方向へスライドさせることにより、ハサミ本体は上記開口部から外方へ突出させると共に、上記スライド操作部を長穴開口部において後退方向へスライドさせることにより内部へ収納させることができる。
【００１１】
請求項４記載の考案にあっては、上記一方ケース部と上記他方ケース部との間には、他方ケース部を上記軸部を中心として離間方向に回動するように付勢する付勢部材が設けられていることを特徴とする。
【００１２】
従って、請求項４記載の考案にあっては、ハサミ本体の使用時には、拡開した配置された一方ケース部と他方ケース部に指をかけて把持し、上記付勢部材に抗して一対のハサミ構成体を操作する。
【００１３】
請求項５記載の考案にあっては、上記ケースは全体略薄型直方体に形成され、上記一方ケース部は長さ方向端部には上記開口部を形成する切欠き部が設けられると共に一方の幅方向端部には、上記切欠き部に連続して開口し、他方ケース部が出没する開口端部が形成されていることを特徴とする。
【考案の効果】
【００１４】
請求項１〜５記載の考案に係る携帯用小型ハサミにあっては、一方ケース部と、上記一方ケース部に対して軸部を介して回動する他方ケース部とを備え、上記一方ケース部及び他方ケース部は、夫々、上記ハサミ本体を構成する一対のハサミ構成体に係合し、上記ハサミ本体を上記ケースから突出させた場合には、上記一方ケース部と上記他方ケース部とによりハサミ本体の一対のハサミ構成体を操作してハサミとして使用するものであって、上記一方ケース部及び他方ケース部を指で把持することによりハサミ本体を操作して被切断対象を切断するように構成されており、従来とは異なり、刃部の背部を直接に指で把持して切断するようには構成されていないことから、扱いやすく被切断対象を切りやすい携帯用小型ハサミを提供することができる。
【００１５】
請求項２記載の考案にあっては、上記ハサミ本体は、軸部を介して互いに回動しうる一対のハサミ構成体により形成され、上記軸部の先端部側に夫々設けられた刃部と、上記軸部の反刃部側に夫々設けられた係止部とを有し、上記一方ケース部の内方側部及び上記他方ケース部の内方側部には、夫々、一方ケース部の内方側部及び上記副他方ケース部の内方側部には、係上記一対の形止部がスライド可能に係合するスライド溝部が形成されており、上記ハサミ構成体の一対の係止部は、夫々、一方ケース部及び他方ケース部の夫々の内方側部に形成されたスライド溝部にスライドして状態でハサミ本体が拡開するように構成されていることから、請求項１記載の効果に加えて、スムーズにハサミ本体を外方へ突出配置又はケース内に収納させて使用ができる携帯用小型ハサミを提供することができる。
【００１６】
請求項４記載の考案にあっては、上記一方ケース部と上記他方ケース部との間には、他方ケース部を上記軸部を中心として離間方向に回動するように付勢する付勢部材が設けられており、ハサミ本体の使用時には拡開した配置された一方ケース部と他方ケース部に指をかけて把持し、上記付勢部材に抗して一対のハサミ構成体を操作するように構成されていることから、一方ケース部と他方ケース部とは初めから拡開した状態で配置されると共にハサミ本体がケースから突出して配置された場合には、一対の刃部は開放した状態で配置され、その状態で被切断部材を切断できるようになっていることから、非常に使いやすい携帯用ハサミを提供することができる。
また、切断作業時にあっても、付勢部材の作用により切断時のハサミ構成体の接近動作時に互いに離間させる方向への反発力が作用していことから、指でハサミ構成体をその都度戻す必要がなく、非常に使いやすい携帯用小型ハサミを提供することができる。
【図面の簡単な説明】
【００１７】
【図１】本考案に係る携帯用小型ハサミの一実施の形態を示す斜視図である。
【図２】本考案に係る携帯用小型ハサミの一実施の形態を示し、一方ケース部と他方ケース部とが拡開し、ハサミ本体が突出した状態を示す平面図である。
【図３】本考案に係る携帯用小型ハサミの一実施の形態を示し、本実施の形態に係る携帯用小型ハサミの各構成部材を分解して展開した状態を示す平面図である。
【図４】従来の携帯用ハサミを示す斜視図である。
【考案を実施するための最良の形態】
【００１８】
以下、添付図面に示す実施の形態に基づき、本考案を詳細に説明する。
図１に示すように、本実施の形態に係る携帯用小型ハサミ１０は、全体略方形状の合成樹脂製のケース１１内に出没可能に内装されたハサミ本体１２を備えている。
【００１９】
上記ケース１１は全体略薄型直方体に形成され、図２及び図３に示すように、一方ケース部１３と、上記一方ケース部１３に対して軸部１４を介して幅方向に回動する他方ケース部１５とを備えている。
【００２０】
上記一方ケース１３部及び他方ケース部１５は、夫々、ハサミ本体１２を構成する一対のハサミ構成体１６、１６に係合しており、上記ハサミ本体１２を上記ケース１１から突出させた場合には、上記一方ケース部１３と上記他方ケース部１５とによりハサミ本体１２の一対のハサミ構成体１６、１６を操作してハサミとして使用できるように構成されている。
【００２１】
図３に示すように、上記ハサミ本体１２は、軸部３５を介して互いに回動しうる一対のハサミ構成体１６、１６により形成され、上記軸部３５の先端部側に夫々設けられた刃部１７、１７と、上記軸部３５の反刃部１７、１７側に夫々設けられた一対の係止部１８ａ、１８ｂとを有している。
【００２２】
上記係止部１８ａ、１８ｂは、夫々、先端部において、刃部１７、１７の幅方向外方に突出して形成され、刃部１７、１７に対し略直角に突設（図３における紙面垂直方向に突設）された係止凸部１９、１９を有しており、一方の係止部１８ａにはスライド操作部２０が設けられている。
【００２３】
図３に示すように、一方ケース部１３は、ハーフ１３ａ、１３ｂを厚さ方向に接合固定して形成されている。上記一方ケース部１３の幅方向端部側の内方側部の幅方向端部側の内方側部には、上記一方の係止部１８ａが係合する一方のスライド溝部２１ａが形成されている。
【００２４】
上記一方ケース１３の先端面部２２には、上記ハサミ本体１２が出没しうる開口部２３が形成されると共に、上記一方ケース１３の上記先端面部２２に隣接する一方の側方端面部２４には長穴開口部２５が形成されている。
【００２５】
上記一方ケース部１３のハーフ１３ａには、長さ方向端部に上記開口部２３を形成する切欠き部２６ａが設けられると共に一方の幅方向端部には、上記切欠き部２６ａに連続して開口し、他方ケース部１５が出没する開口端部２７が形成されている。また、ハーフ１３ｂには、上記切欠き部２６ａに対応する切欠き部２６ｂが形成されている。
【００２６】
上記他方ケース部１５は、平面略三角形状に形成され、角部２９において上記ハーフ１３ａの開口部２３に設けられている軸部１４に孔部２８を介して回動可能に接合されている。
【００２７】
他方ケース部１５の幅方向端部には長さ方向に沿って、他方の係止部１８ｂが係合する他方のスライド溝部２１ｂが形成されている。
【００２８】
本実施の形態にあっては、上記ハーフ１３ａの後端部には凸部３０が形成されており、上記凸部３０には、スプリング３１が固定されている。スプリング３１は巻きつけ部３２と、巻きつけ部３２から延出配置されたスプリング本体部３３とを備えている。
【００２９】
上記他方ケース部１５の上記スライド溝部２１ｂの内方には、スライド溝部２１ｂと並行してスプリング係合突条部３４が長さ方向に沿って形成されている。従って、スプリング本体部３３は上記スプリング係合突条部３４を幅方向外方へ押圧付勢していることから、他方ケース部１５は、上記スプリング３１の付勢力により、常時、上記軸部１４を回動中心として幅方向外方へ付勢された状態にある。
【００３０】
従って、図３に示すように、本実施の形態に係る携帯用小型ハサミ１０にあっては、ハサミ本体１２の一方の係止部１８ａは一方のスライド溝部２１ａにスライド可能に配置されると共に、スライド操作部２０は長穴開口部２５内に、外部からスライド操作部２０を指で操作可能に配置され、ハサミ本体１２の他方の係止部１８ｂは上記他方のスライド溝部２１ｂ内にスライド可能に係合した状態で一方ケース部１３及び他方ケース部１５内に配置固定されている。
【００３１】
この場合、上記ハサミ本体１２のケース１１への収納時には、ハサミ本体１２の係止部１８ａ、１８ｂが、夫々、スライド溝部２１ａ、２１ｂの後端部に係合配置されていることから、上記スプリング３１の付勢力に抗して一方ケース部１３ａ及び他方ケース部１３ｂの拡開を防止し、全体として薄型長方形状のケース１１を形成している状態にある。
【００３２】
以下、本実施の形態に係る携帯用小型ハサミ１０の使用方法について説明する。
本実施の形態に係る携帯用小型ハサミ１０を使用する場合には、図１に示すように、長穴開口部２５内に配置されたスライド操作部２０を指で操作して先端面部２２方向へ押し、図２に示すように、ハサミ本体１２の刃部１７、１７を開口部２３から外方へ突出させる。
【００３３】
この場合、スライド操作部２０の操作により上記ハサミ本体１２の係止部１８ａ、１８ｂは上記スライド溝部２１ａ、２１ｂ内をケース１１の先端部方向へ移動することから、図２に示すように、一方ケース部１３及び他方ケース部１５はスプリング３１の付勢力により幅方向に拡開してハサミとしての使用状態を形成する。
【００３４】
この場合、ハサミ構成体１６を形成する係止部１８ａ、１８ｂは一方ケース部１３及び他方ケース部１５のスライド溝部２１ａ、２１ｂ内に係合していることから、一方ケース部１３及び他方ケース部１５は、ハサミ構成体１６、１６に連動し、使用者はこの状態で本実施の形態に係る携帯用小型ハサミ１０の一方ケース部１３及び他方ケース部１５を指で夫々把持することにより、ハサミとして使用することができる。
【００３５】
この場合、一方ケース部１３と他方ケース部１５とはスプリング３１による付勢力が作用していることから、使用者は一方ケース部１３及び他方ケース部１５を互いに接近方向に押圧した場合であっても、上記スプリング１３の反発力が作用し、一方ケース部１３及び他方ケース部１５は初期位置に戻ることから非常に使いやすいハサミとなる。
【００３６】
一方、上記ハサミ本体１２をケース１１内に収納する場合には、一方ケース部１３及び他方ケース部１５をスプリング３１の付勢力に抗して閉じ、その後、スライド操作部２０をケース後端部方向に移動させることによりハサミ本体１２をケース１１内へ後退させる。
【００３７】
なお、本実施の形態にあっては、携帯用小型ハサミ１０は携帯電話のアクセサリーとなるように、略長さ寸法３ｃｍ×幅寸法１．６ｃｍ×厚さ寸法９ｍｍで非常に小型に形成され、かつ、ケース１１の後端部には、ストラップ３６が固定されていることから、ハサミ本体１２をケース１１内に収納した状態で、携帯電話等のアクセサリーとして使用することもできる。
その結果、本実施の形態にあっては、携帯電話等のアクセサリーとしても使用でき、かつ、必要時にはハサミとしても使用できる携帯用小型ハサミを提供することができる。
【産業上の利用可能性】
【００３８】
本考案は、広く、携帯して使用できる小型のハサミに広く適用することができることから、産業上の利用可能性を有している。
【符号の説明】
【００３９】
１０  携帯用小型ハサミ
１１  ケース
１２  ハサミ本体
１３  一方ケース部
１４  軸部
１５  他方ケース部
１６  ハサミ構成体
１７  刃部
１８  係止部
１９  係止凸部
２０  スライド部
２１  スライド溝部
２２  先端面部
２３  開口部
２４  側方端面部
２５  長穴開口部
２６  切欠き部
２７  開口端部
２８  孔部
２９  角部
３０  凸部
３１  スプリング
３２  巻きつけ部
３３  スプリング本体
３４  スプリング係合溝部
３５  軸部  
５０  携帯用小型ハサミ
５１  ケース
５２  刃部
５３  スライダ部
５４  刃体
５５  背部
【図１】
0003176865.tif 000003
【図２】
0003176865.tif 000004
【図３】
0003176865.tif 000005
【図４】
0003176865.tif 000006